(57)【特許請求の範囲】
【請求項１】
つづら折りされた帯状のセパレータを介在させた状態で正極板と負極板が交互に積層されてなる積層型電池の製造装置であって、
帯状のセパレータを供給するセパレータ供給機構と、
前記セパレータ供給機構により供給されたセパレータをつづら折りするつづら折り機構と、
前記つづら折り機構によりつづら折りされるセパレータ上に正極板を積層する正極板積層機構と、
前記つづら折り機構によりつづら折りされるセパレータ上に負極板を積層する負極板積層機構とを備え、
前記つづら折り機構は、前記セパレータ供給機構から供給されたセパレータを案内するガイド部材と、前記ガイド部材により案内されたセパレータが積層される積層テーブルと、前記積層テーブルの４つの隅部に設けられた固定ツメとを備え、
前記積層テーブルが前記ガイド部材の下方においてセパレータのつづら折り方向に往復移動することによりセパレータが前記積層テーブル上でつづら折りされ、前記積層テーブルがセパレータのつづら折り方向の一方に移動することによりセパレータが一方に折り返されたときに前記正極板積層機構により正極板がセパレータ上に積層される一方、前記積層テーブルがセパレータのつづら折り方向の他方に移動することによりセパレータが他方に折り返されたときに前記負極板積層機構により負極板がセパレータ上に積層され、
前記正極板積層機構または前記負極板積層機構により正極板または負極板がセパレータ上に積層される際、前記固定ツメが正極板または負極板を介してセパレータを前記積層テーブルに固定するとともに、
前記積層テーブルがセパレータのつづら折り方向の一方または他方に移動するときに、セパレータが移動側の前記固定ツメにより引っ張られながら前記ガイド部材を支点にして折り返されることを特徴とする積層型電池の製造装置。
【請求項２】
前記固定ツメは、正極板または負極板がセパレータ上に積層されるときには、前記積層テーブルのつづら折り方向に沿う方向に水平回転して、セパレータの上方を空けるものとなされ、正極板または負極板がセパレータ上に積層されたあとに、セパレータのつづら折りの方向に直交する方向に水平回転して、正極板または負極板を介してセパレータを前記積層テーブルに固定する請求項１に記載の積層型電池の製造装置。
【請求項３】
前記正極板積層機構は、前記セパレータ供給機構により供給されるセパレータの幅方向の側方であって、前記つづら折り機構の前記ガイド部材よりもつづら折り方向の一方に配置されている請求項１または請求項２に記載の積層型電池の製造装置。
【請求項４】
前記負極板積層機構は、前記セパレータ供給機構により供給されるセパレータの幅方向の側方であって、前記つづら折り機構の前記ガイド部材よりもつづら折り方向の他方に配置されている請求項１から請求項３のいずれかに記載の積層型電池の製造装置。
【請求項５】
つづら折りされた帯状のセパレータを介在させた状態で正極板または負極板が交互に積層することを完了したときに、前記積層テーブル上の前記積層型電池を保持しながらセパレータのつづら折り方向の一方または他方に引き出す電池保持機構が設けられている請求項１から請求項４のいずれかに記載の積層型電池の製造装置。
【請求項６】
前記電池保持機構は、セパレータのつづら折り方向の一方または他方に引き出した前記積層型電池を引き出した方向に回転させることにより積層型電池をセパレータにより包装する請求項５に記載の積層型電池の製造装置。
【請求項７】
前記電池保持機構は、前記積層型電池と前記積層テーブルの間においてセパレータを切断する切断部が設けられている請求項５または請求項６に記載の積層型電池の製造装置。
【請求項８】
前記電池保持機構は、セパレータの端部を積層型電池に接着する接着部が設けられている請求項５から請求項７のいずれかに記載の積層型電池の製造装置。
【請求項９】
前記正極板積層機構または前記負極板積層機構は、前記積層テーブルがセパレータのつづら折り方向の一方または他方の反対方向に移動しているときに、次に前記積層テーブルがセパレータのつづら折り方向の一方または他方に戻ったときに一方または他方に折り返される予定のセパレータの上方に移動して、正極板または負極板の積層を待機する請求項１から請求項８のいずれかに記載の積層型電池の製造装置。
【発明の詳細な説明】
【技術分野】
【０００１】
本発明は、つづら折りされた帯状のセパレータを介在させた状態で正極板または負極板が交互に積層した積層型電池の製造装置に関するものである。
【背景技術】
【０００２】
近年、自動車用電池、住宅用電池、電子機器用電池あるいは太陽電池などの各種電池において、積層型電池が使用されるようになっている。この積層型電池は、セパレータを介在させた状態で正極板および負極板が交互に積層されて構成される。
【０００３】
このような積層型電池の製造として、帯状のセパレータをつづら折り機構を介してテーブル上でつづら折りし、つづら折りによりセパレータが折り返されるたびに折り返されたセパレータ上に正極板および負極板を正極板供給機構および負極板供給機構を介して交互に供給して、セパレータを介在させた状態で正極板と負極板をテーブル上で交互に積層する方法が知られている（例えば、特許文献１参照）。
【先行技術文献】
【特許文献】
【０００４】
【特許文献１】特開２０１４−１６５０５５号公報
【発明の概要】
【発明が解決しようとする課題】
【０００５】
しかしながら、上述の製造方法だと、移載ヘッドをセパレータのつづら折り方向の両側から互いに押し出しながらセパレータをつづら折りするため、テーブルのつづら折り方向が移載ヘッドに塞がれた状態となる。このため、完成した積層型電池をセパレータの側方からしか取り出すことができず、製造ラインの自由度が下がり、積層型電池を効率的に製造しにくい場合があるという問題があった。
【０００６】
また、特許文献１に示すように、移載ヘッドの下方に正極板または負極板を保持する電極板チャックが設けられる構成上、移載ヘッドの先端部が複数のローラにより上下に延びた形状とならざるを得なかった。このため移載ヘッドによりセパレータを押し出す際に、移載ヘッドがガイドローラを通過する前は主に先端部の下方ローラがセパレータに接触するが、ガイドローラを通過した後は先端部の上方ローラがセパレータに接触するため、ガイドローラの通過前後でセパレータにかかるテンションが急変してセパレータにしわが生じるなど、積層型電池の品質が低下するという問題もあった。
【０００７】
本発明は、上述の問題に鑑みてなされたものであり、高品質の積層型電池を効率的に製造することができる積層型電池の製造装置を提供することを目的とする。
【課題を解決するための手段】
【０００８】
本発明は、上記目的を達成するために、つづら折りされた帯状のセパレータを介在させた状態で正極板と負極板が交互に積層されてなる積層型電池の製造装置であって、帯状のセパレータを供給するセパレータ供給機構と、前記セパレータ供給機構により供給されたセパレータをつづら折りするつづら折り機構と、前記つづら折り機構によりつづら折りされるセパレータ上に正極板を積層する正極板積層機構と、前記つづら折り機構によりつづら折りされるセパレータ上に負極板を積層する負極板積層機構とを備え、前記つづら折り機構は、セパレータ供給機構から供給されたセパレータを案内するガイド部材と、前記ガイド部材により案内されたセパレータが積層される積層テーブルと、前記積層テーブルの４つの隅部に設けられた固定ツメとを備え、前記積層テーブルが前記ガイド部材の下方においてセパレータのつづら折り方向に往復移動することによりセパレータが積層テーブル上でつづら折りされ、前記積層テーブルがセパレータのつづら折り方向の一方に移動することによりセパレータが一方に折り返されたときに前記正極板積層機構により正極板がセパレータ上に積層される一方、前記積層テーブルがセパレータのつづら折り方向の他方に移動することによりセパレータが他方に折り返されたときに前記負極板積層機構により負極板がセパレータ上に積層され、前記正極板積層機構または前記負極板積層機構により正極板または負極板がセパレータ上に積層される際、前記固定ツメが正極板または負極板を介してセパレータを前記積層テーブルに固定するとともに、前記積層テーブルがセパレータのつづら折り方向の一方または他方に移動するときに、セパレータが移動側の固定ツメにより引っ張られながらガイド部材を支点にして折り返されることを特徴とする。
【０００９】
これによれば、積層テーブルがガイドローラの下方においてセパレータのつづら折りの方向に往復移動することによりセパレータが積層テーブル上でつづら折りされる構成によって、積層テーブルのつづら折り方向に空間が出来るため、完成した積層型電池をつづら折り方向の一方または他方からも取り出すことができる。また、積層テーブルがガイドローラを通過する前後でセパレータにかかるテンションが急変しないため、セパレータにしわ等が生じることを防止できる。よって、製造ラインの自由度が向上し、高品質の積層型電池を効率的に製造することが可能となる。
【００１０】
また、前記固定ツメは、正極板または負極板がセパレータ上に積層されるときには、積層テーブルのつづら折り方向に沿う方向に水平回転して、セパレータの上方を空けるものとなされ、正極板または負極板がセパレータ上に積層されたあとに、セパレータのつづら折りの方向に直交する方向に水平回転して、正極板または負極板を介してセパレータを積層テーブルに固定するのが好ましい。これによれば、積層テーブルがセパレータのつづら折り方向に往復運動するに際して、セパレータを積層テーブル上で確実につづら折りすることができる。
【００１１】
また、前記正極板積層機構は、前記セパレータ供給機構により供給されるセパレータの幅方向の側方であって、前記つづら折り機構のガイド部材よりもつづら折り方向の一方に配置されているのが好ましい。また、前記負極板積層機構は、前記セパレータ供給機構により供給されるセパレータの幅方向の側方であって、前記つづら折り機構のガイド部材よりもつづら折り方向の他方に配置されているのが好ましい。これによれば、セパレータが一方または他方に折り返されたときに、正極板または負極板をセパレータ上に簡単かつ確実に積層することができる上に、セパレータのつづら折り方向に完全な空間が出来る。
【００１２】
また、つづら折りされた帯状のセパレータを介在させた状態で正極板または負極板を交互に積層することを完了したときに、積層テーブル上の前記積層型電池を保持しながらセパレータのつづら折り方向の一方または他方に引き出す電池保持機構が設けられているのが好ましい。これによれば、完成した積層型電池を積層テーブルから簡単かつ確実に引き出すことができる。
【００１３】
また、前記電池保持機構は、セパレータのつづら折り方向の一方または他方に引き出した積層型電池を引き出した方向に回転させることにより積層型電池をセパレータにより包装してもよい。これによれば、完成した積層型電池を簡単かつ確実に包装することができる。
【００１４】
また、前記電池保持機構は、積層型電池と積層テーブルの間においてセパレータを切断する切断部が設けられてもよい。これによれば、完成した積層型電池のセパレータを簡単かつ確実に切断することができる。
【００１５】
また、前記電池保持機構は、セパレータの端部を積層型電池に接着する接着部が設けられてもよい。これによれば、完成した積層型電池のセパレータを簡単かつ確実に接着することができる。
【００１６】
また、前記正極板積層機構または前記負極板積層機構は、前記積層テーブルがセパレータのつづら折り方向の一方または他方の反対方向に移動しているときに、次に前記積層テーブルがセパレータのつづら折り方向の一方または他方に戻ったときに一方または他方に折り返される予定のセパレータの上方に移動して、正極板または負極板の積層を待機してもよい。これによれば、セパレータがつづら折り方向の一方または他方に折り返した直後に、正極板または負極板がセパレータ上に積層され得るため、積層型電池をより一層効率的に製造することができる。
【発明の効果】
【００１７】
本発明によれば、積層テーブルがガイドローラの下方においてセパレータのつづら折りの方向に往復移動することによりセパレータが積層テーブル上でつづら折りされることによって、積層テーブルのつづら折り方向に空間が出来るため、完成した積層型電池をつづら折り方向の一方または他方からも取り出すことができる。
【００１８】
また、積層テーブルがガイドローラを通過する前後でセパレータにかかるテンションが急変しないため、セパレータにしわ等が生じることを防止できる。
【００１９】
よって、製造ラインの自由度が向上し、高品質の積層型電池を効率的に製造することが可能となる。
【図面の簡単な説明】
【００２０】
【図１】積層型電池の製造装置の構成を示す斜視図である。
【図２】積層型電池の正極板または負極板の積層方法を示す図である。
【図３】積層型電池の積層の工程を示す第１の図である。
【図４】積層型電池の積層の工程を示す第２の図である。
【図５】積層型電池の包装の工程を示す図である。
【図６】積層型電池の接着および切断の工程を示す図である。
【発明を実施するための形態】
【００２１】
次に、本発明に係る積層型電池の製造装置（以下、本装置という）の一実施形態について図１〜図６を参照しつつ説明する。
【００２２】
なお、本実施形態では、図１の矢印Ａの方向をセパレータＳのつづら折り方向の前方として、矢印Ａの反対方向をセパレータＳのつづら折り方向の後方とする。
【００２３】
本装置は、帯状のセパレータＳを供給するセパレータ供給機構１と、セパレータ供給機構１により供給されたセパレータＳをつづら折りするつづら折り機構２と、つづら折り機構２によりつづら折りされるセパレータＳ上に正極板Ｐを積層する正極板積層機構３と、つづら折り機構２によりつづら折りされるセパレータＳ上に負極板Ｎを積層する負極板積層機構４と、積層が完了した積層型電池Ｄを保持しながらセパレータＳのつづら折り方向の一方に引き出す電池保持機構５とを備える。
【００２４】
前記セパレータ供給機構１は、セパレータＳのつづら折り方向の後方に設けられたセパレータＳの２個の供給ロール１０、１０と、該供給ロール１０、１０とつづら折り機構２の間に設けられた第１〜第５の中間ローラ１１〜１５と備える。一方の供給ロール１０から引き出されたセパレータＳは、該供給ロール１０の下方に設けられた第１の中間ローラ１１に巻架されたあと、該第１の中間ローラ１１の前方に設けられた第２〜第４の中間ローラ１２〜１４に順次巻架され、第５の中間ローラ１５からつづら折り機構２の後述のガイドローラに向けて下方に延びるようになっている。
【００２５】
なお、セパレータＳの供給ロール１０、１０は、いずれか一方の供給ロール１０が使用されるものであり、一方の供給ロール１０が完全に引き出されたとき、または一方の供給ロール１０のセパレータＳに問題が生じたときに、他方の供給ロール１０が使用される。
【００２６】
前記つづら折り機構２は、セパレータ供給機構１から供給されたセパレータＳを案内する一対のガイドローラ２０、２０と、ガイドローラ２０、２０により案内されたセパレータＳが積層される積層テーブル２１と、積層テーブル２１においてセパレータＳを固定する固定部材としての固定ツメ２２とを備える。
【００２７】
前記ガイドローラ２０、２０は、セパレータ供給機構１の第５の中間ローラ１５の下方において、セパレータＳの幅方向に延びる態様で配置されており、対向するガイドローラ２０、２０の周面同士でセパレータＳを挟み込むことによりセパレータＳのつづら折り方向の位置を固定している。
【００２８】
前記積層テーブル２１は、平面視矩形の平板状に形成されたテーブルであり、ガイドローラ２０、２０の下方において図示略の駆動機構によりセパレータＳのつづら折り方向に水平に往復運動するようになっている。また、後述するように正極板積層機構３または負極板積層機構４により正極板Ｐまたは負極板Ｎが順次積層されていくことで積層型電池Ｄの高さが高くなるにつれて次第に下降するようになっている。
【００２９】
前記固定ツメ２２は、積層テーブル２１の４つの隅部にそれぞれ設けられ、積層テーブル２１の表面に対して水平に回転するようになっている。
【００３０】
この固定ツメ２２は、正極板Ｐまたは負極板ＮがセパレータＳ上に積層されるときには、積層テーブルのつづら折り方向に沿う方向などに水平回転して、セパレータＳの上方を空ける。このため、後述するように正極板Ｐまたは負極板ＮをセパレータＳ上に確実に積層することができる。
【００３１】
また、この固定ツメ２２は、正極板Ｐまたは負極板ＮがセパレータＳ上に積層されたあとに、図１に示すように、セパレータのつづら折り方向に直交する方向に水平回転して、正極板Ｐまたは負極板Ｎを介してセパレータＳを積層テーブル２１に固定する。このため、積層テーブル２１がセパレータのつづら折り方向の一方または他方に移動するときに、セパレータＳが移動側の固定ツメ２２により引っ張られながらガイドロール２０，２０を支点にして確実に折り返される。
【００３２】
而して、固定ツメ２２が積層テーブル２１上で正極板Ｐまたは負極板Ｎを介してセパレータＳの四隅を固定した状態において、積層テーブル２１がセパレータＳのつづら折り方向の前方に移動すると、ガイドローラ２０、２０から引き出されたセパレータＳがガイドローラ２０、２０を支点にして前方に折り返される。一方、積層テーブル２１がセパレータＳのつづら折り方向の後方に移動すると、ガイドローラ２０、２０から引き出されたセパレータＳがガイドローラ２０、２０を支点にして後方に折り返される。このように、積層テーブル２１がセパレータＳのつづら折り方向の前方および後方に往復運動することによって、セパレータＳが積層テーブル２１上でつづら折りされた状態となる。
【００３３】
前記正極板積層機構３は、正極板Ｐを移載する移載ヘッド３０と、正極板Ｐの束が載置されるターンテーブル３１と、正極板Ｐが移載される移載テーブル３２とを備える。
【００３４】
前記移載ヘッド３０は、セパレータＳの幅方向に延びるコ字状の移載ヘッド本体３０１と、移載ヘッド本体３０１の両側に設けられた４個の吸着部３０２とを備えており、図示略の駆動機構によりセパレータＳの幅方向および上下方向に移動するようになっている。
【００３５】
而して、図２（ａ）に示すように、移載ヘッド３０がセパレータＳの幅方向外側に移動して下降すると、外側の吸着部３０２、３０２がターンテーブル３１上の正極板Ｐの束の最上位の正極板Ｐを吸着するとともに、内側の吸着部３０２、３０２が移載テーブル３２上の正極板Ｐを吸着する。そして、図２（ｂ）に示すように、移載ヘッド３０が上昇してセパレータＳの幅方向内側に移動して下降すると、外側の吸着部３０２、３０２が吸着している正極板Ｐを移載テーブル３２上に載置するとともに、内側の吸着部３０２、３０２が吸着している正極板Ｐを積層テーブル２１上で折り返されたセパレータＳ上に積層する。そして、図２（ａ）に示すように、移載ヘッド３０が上昇してセパレータＳの幅方向外側に移動して下降すると、再び外側の吸着部３０２、３０２がターンテーブル３１上の正極板Ｐの束の最上位の正極板Ｐを吸着するとともに、内側の吸着部３０２、３０２が移載テーブル３２上の正極板Ｐを吸着する。移載ヘッド３０がこのような往復運動を繰り返すことにより、セパレータＳがつづら折り機構２の積層テーブル２１上で折り返されるごとに、正極板Ｐが該セパレータＳ上に順次積層されていく。
【００３６】
前記負極板積層機構４は、負極板Ｎを移載する移載ヘッド４０と、負極板Ｎの束が載置されるターンテーブル４１と、負極板Ｎが移載される移載テーブル４２とを備える。
【００３７】
前記移載ヘッド４０は、セパレータＳの幅方向に延びるコ字状の移載ヘッド本体４０１と、移載ヘッド本体４０１の両側に設けられた４個の吸着部４０２とを備えており、図示略の駆動機構によりセパレータＳの幅方向および上下方向に移動するようになっている。
【００３８】
而して、図２（ａ）に示すように、移載ヘッド４０がセパレータＳの幅方向外側に移動して下降すると、外側の吸着部４０２がターンテーブル４１上の負極板Ｎの束の最上位の負極板Ｎを吸着するとともに、内側の吸着部４０２、４０２が移載テーブル４２上の負極板Ｎを吸着する。そして、図２（ｂ）に示すように、移載ヘッド４０が上昇してセパレータＳの幅方向内側に移動して下降すると、外側の吸着部４０２、４０２が吸着している負極板Ｎを移載テーブル４２上に載置するとともに、内側の吸着部４０２、４０２が吸着している負極板Ｎを積層テーブル２１上で折り返されたセパレータＳ上に積層する。そして、図２（ａ）に示すように、移載ヘッド４０が上昇してセパレータＳの幅方向外側に移動して下降すると、再び外側の吸着部４０２、４０２がターンテーブル４１上の負極板Ｎの束の最上位の負極板Ｎを吸着するとともに、内側の吸着部４０２、４０２が移載テーブル４２上の負極板Ｎを吸着する。移載ヘッド４０がこのような往復運動を繰り返すことにより、セパレータＳがつづら折り機構２の積層テーブル２１上で折り返されるごとに、負極板Ｎが該セパレータＳ上に順次積層されていく。
【００３９】
なお、前記正極板積層機構３および前記負極板積層機構４のターンテーブル３１、４１は、通常、２個の正極板Ｐまたは負極板Ｎの束が載置されており、内側の正極板Ｐまたは負極板Ｎの束がなくなったときに１８０度水平に回転して、外側の正極板Ｐまたは負極板Ｎの束を内側に配置することにより正極板Ｐの供給効率の向上を図っている。
【００４０】
また、前記正極板積層機構３および前記負極板積層機構４の上方には、移載テーブル３２、４２に載置された正極板Ｐまたは負極板Ｎを撮影するカメラ６が設けられており、正極板Ｐまたは負極板Ｎの画像が図示略のコンピュータに送信される。そして、図示略のコンピュータは、当該画像に基づいて正極板Ｐまたは負極板Ｎの姿勢および位置を判断して、適宜、正極板積層機構３および負極板積層機構４の移載ヘッド３０，４０を制御する。
【００４１】
前記電池保持機構５は、セパレータＳの幅方向の両側部に設けられた一対のチャック部５０と、積層テーブル２１の前方に設けられた接着部５１と、積層テーブル２１と接着部５１の間に設けられた切断部５２とを備える。
【００４２】
前記チャック部５０は、積層テーブル２１上の積層型電池Ｄを両側から保持して、セパレータＳのつづら折り方向の前方に水平に引き出したあと、そのまま引き出した方向に３６０度程回転させることにより積層型電池ＤをセパレータＳで包装する。
【００４３】
前記接着部５１は、チャック部５０により積層型電池ＤがセパレータＳにより包装されたあと、積層型電池Ｄと切断部５２との間において接着剤を塗布して、セパレータＳを積層型電池Ｄの周面に接着する。
【００４４】
前記切断部５２は、積層テーブル２１の前方に設けられた一対のカッターであり、接着部５１により接着剤が塗布されたあと、接着部５１と積層テーブル２１の間においてセパレータＳを切断する。
【００４５】
次に本装置による積層の工程について図３および図４を参照しつつ説明する。なお、セパレータＳを介在させて正極板Ｐおよび負極板Ｎが途中まで積層された状態から説明するものとする。
【００４６】
まず、図３（ａ）に示すように、つづら折り機構２の積層テーブル２１がセパレータＳのつづら折り方向の前方に移動すると、ガイドローラ２０、２０から引き出されたセパレータＳがガイドローラ２０、２０を支点にして前方に折り返される。このとき、正極板積層機構３の移載ヘッド３０がセパレータＳの幅方向内側に移動して、前方に折り返されたセパレータＳの上方に既に待機している。
【００４７】
そして、図３（ｂ）に示すように、正極板積層機構３の移載ヘッド３０が下降すると、内側の吸着部３０２が吸着している正極板Ｐを積層テーブル２１上で折り返されたセパレータＳ上に積層する。このとき、負極板積層機構４の移載ヘッド４０がセパレータＳの幅方向内側に移動して、次に後方に折り返される予定のセパレータＳの上方に待機する。
【００４８】
そして、図３（ｃ）に示すように、つづら折り機構２の積層テーブル２１がセパレータＳのつづら折り方向の後方に移動すると、ガイドローラ２０、２０から引き出されたセパレータＳがガイドローラ２０、２０を支点にして後方に折り返される。このとき、正極板積層機構３の移載ヘッド３０が上昇してセパレータＳの幅方向外側に移動して、外側の吸着部３０２がターンテーブル３１上の正極板Ｐの束の最上位の正極板Ｐを吸着するとともに、内側の吸着部３０２が移載テーブル３２上の正極板Ｐを吸着することにより、次の正極板Ｐの積層のための準備を行う。
【００４９】
そして、図４（ａ）に示すように、負極板積層機構４の移載ヘッド４０が下降すると、内側の吸着部４０２が吸着している負極板Ｎを積層テーブル２１上で折り返されたセパレータＳ上に積層する。このとき、正極板積層機構３の移載ヘッド３０がセパレータＳの幅方向内側に移動して、次に前方に折り返される予定のセパレータＳの上方に待機する。但し、積層が完了したと判断された場合には、正極板積層機構３の移載ヘッド３０がセパレータＳの幅方向内側に移動せず、次の積層の工程までセパレータＳの幅方向外側で待機する。
【００５０】
そして、図４（ｂ）に示すように、つづら折り機構２の積層テーブル２１がセパレータＳのつづら折り方向の前方に移動すると、ガイドローラ２０、２０から引き出されたセパレータＳがガイドローラ２０、２０を支点にして前方に折り返され、積層が完了する。
【００５１】
そして、図４（ｃ）に示すように、電池保持機構５のチャック部５０が、積層テーブル２１上の積層型電池Ｄを両側から保持して、次の包装の工程に進む。
【００５２】
次に本装置による包装の工程について図５を参照しつつ説明する。
【００５３】
まず、図５（ａ）に示すように、電池保持機構５のチャック部５０が、保持した積層型電池ＤをセパレータＳのつづら折り方向の前方に水平に引き出す。
【００５４】
そして、図５（ｂ）に示すように、電池保持機構５のチャック部５０が、引き出した積層型電池Ｄを引き出した方向に回転させると、セパレータＳがセパレータ供給機構１から引き出されながら積層型電池Ｄの周面に巻き付き始める。
【００５５】
そして、図５（ｃ）に示すように、電池保持機構５のチャック部５０が、積層型電池Ｄをそのまま引き出した方向に３６０度回転させると、セパレータＳが積層型電池Ｄの全周に亘って巻き着いた状態となる。これにより積層の工程で積層した積層型電池ＤをセパレータＳで包装して、次の接着および切断の工程に進む。
【００５６】
次に本装置による接着および切断の工程について図６を参照しつつ説明する。
【００５７】
まず、図６（ａ）に示すように、電池保持機構５のチャック部５０が、包装した積層型電池Ｄを積層テーブル２１と同じ高さ位置となるように水平に保持すると、電池保持機構５の接着部５１が積層型電池Ｄと積層テーブル２１の間において接着剤を塗布する。このとき、正極板積層機構３の移載ヘッド３０がセパレータＳの幅方向内側に移動して、積層テーブル２１のセパレータＳの上方に待機する。
【００５８】
そして、図６（ｂ）に示すように、電池保持機構５の切断部５２が、積層型電池Ｄと積層テール部の間においてセパレータＳを切断すると、接着剤が塗布されたセパレータＳの端部が積層型電池Ｄの周面に貼り付いた状態となって、積層型電池Ｄの包装が完全なものとなる。このとき、正極板積層機構３の移載ヘッド３０が下降して、内側の吸着部３０２が吸着している正極板Ｐを積層テーブル２１のセパレータＳ上に積層する。また、このとき、負極板積層機構４の移載ヘッド４０がセパレータＳの幅方向内側に移動して、次に後方に折り返される予定のセパレータＳの上方に待機する。
【００５９】
あとは、図６（ｃ）に示すように、つづら折り機構２の積層テーブル２１がセパレータＳのつづら折り方向の後方に移動すると、ガイドローラ２０、２０から引き出されたセパレータＳがガイドローラ２０、２０を支点にして後方に折り返されて、上述のように積層の工程を繰り返していく。
【００６０】
なお、本実施形態では、セパレータ供給機構１は、第１〜第５の中間ローラ１１〜１５からなるものとしたが、中間ローラの個数や配置については任意に設定可能である。
【００６１】
また、つづら折り機構２のガイドローラ２０、２０は、セパレータＳの幅方向に延びる一対のガイドローラ２０、２０からなるものとしたが、セパレータ供給機構１から供給されたセパレータＳを積層テーブル２１上に案内するものであれば、その他の構成であってもよい。
【００６２】
また、つづら折り機構２の固定ツメ２２は、積層テーブル２１の表面に対して水平に回転することによりセパレータＳを固定するものとしたが、その他の方法によりセパレータＳを固定するものとしてもよい。
【００６３】
また、正極板積層機構３または負極板積層機構４は、移載ヘッド３０，４０、移載テーブル３２，４２およびターンテーブル３１，４１から構成されるものとしたが、その他の構成により正極板Ｐまたは負極板Ｎを積層するものとしてもよい。
【００６４】
また、正極板積層機構３または負極板積層機構４は、セパレータＳの幅方向の側方であって、セパレータＳのつづら折り方向の一方または他方に設けられるものとしたが、その他の箇所に設けられてもよい。
【００６５】
また、正極板積層機構３または負極板積層機構４は、上述の正極板Ｐまたは負極板Ｎの積層の制御方法に限定されるものではなく、その他の積層の制御方法であってもよい。
【００６６】
また、電池保持機構５は、積層型電池ＤをセパレータＳのつづら折り方向の一方に引き出すものとしたが、製造ラインによってはその他の方向に引き出してもよい。
【００６７】
また、電池保持機構５は、積層型電池Ｄを回転させてセパレータＳにより包装するものとしたが、単に引き出すものとして、その他の機構により積層型電池ＤをセパレータＳ又は何らかの部材により包装してもよい。
【００６８】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００６９】
１・・・セパレータ供給機構
１０・・・供給ロール
１１、１２、１３、１４、１５・・・中間ローラ
２・・・つづら折り機構
２０・・・ガイドローラ
２１・・・積層テーブル
２２・・・固定ツメ
３・・・正極板積層機構
３０・・・移載ヘッド
３０１・・・移載ヘッド本体
３０２・・・吸着部
３１・・・ターンテーブル
３２・・・移載テーブル
４・・・負極板積層機構
４０・・・移載ヘッド
４０１・・・移載ヘッド本体
４０２・・・吸着部
４１・・・ターンテーブル
４２・・・移載テーブル
５・・・電池保持機構
５０・・・チャック部
５１・・・接着部
５２・・・切断部
６・・・カメラ
Ｐ・・・正極板
Ｎ・・・負極板
Ｓ・・・セパレータ
Ｄ・・・積層型電池
【図１】
0006632823.tif 000002
【図２】
0006632823.tif 000003
【図３】
0006632823.tif 000004
【図４】
0006632823.tif 000005
【図５】
0006632823.tif 000006
【図６】
0006632823.tif 000007